(57)【要約】      （修正有） 【課題】耐摩耗性を有するとともに、薄くて嵩張ることなくカード類を多数収納できる財布を提供する。【解決手段】カード類１１を収納しうるカード収納部１２を備えた財布１０であって、カード収納部１２は、合成樹脂製の基材１３と基材の表面を被覆する紙製の表皮材１４とにより構成されたシート材１５により形成されている。【選択図】図１
0003209756.tif 000002
【実用新案登録請求の範囲】
【請求項１】
カード類を収納しうるカード収納部を備えた財布であって、前記カード収納部は、合成樹脂製の基材と前記基材の表面を被覆する紙製の表皮材とにより構成されたシート材により形成されていることを特徴とする財布。
【請求項２】
前記カード収納部は、前記シート材を縫着することにより形成されていることを特徴とする請求項１記載の財布。
【請求項３】
前記カード収納部は、平面視略横長長方形状に形成されると共に、前記カード類を前記カード類の長さ方向に沿って出し入れ可能なカード収納部開口部を備え全体袋状に形成された複数の個別カード収納部により構成されており、前記個別カード収納部の深さ寸法は、前記カード類の長さ寸法よりも小さく形成されていることを特徴とする請求項２記載の財布。
【請求項４】
前記カード収納部は、平面視略横長長方形状に形成されると共に、前記カード類を前記カード類の幅方向に沿って出し入れ可能なカード収納部開口部を備え全体袋状に形成された複数の個別カード収納部により構成されており、前記個別カード収納部の深さ寸法は、前記カード類の幅寸法よりも小さく形成されていることを特徴とする請求項２記載の財布。
【請求項５】
前記基材はポリエチレンテレフタラート製のフィルムであることを特徴とする請求項１記載の財布。
【考案の詳細な説明】
【技術分野】
【０００１】
本考案は、財布に関するものである。
【背景技術】
【０００２】
従来より、クレジットカード等のカード類を収納しうるカード収納部を備えた財布が知られている。使用者からは、財布に出来るだけ多くのカード類を収納できるようにしたいという要望がある。
【０００３】
しかしながら、前記したカード収納部はカード類の出し入れによる摩耗が起こりやすいため、例えば、カード収納部に皮革を使用した場合には、皮革自体の厚さを厚くする必要があった。
その結果、カード収納部にカード類を収納した場合に、カード類の厚さ寸法に加え、皮革自体の厚さ寸法も加わるため、カード収納部が嵩張ってしまうという不具合があった。
従って、財布にカード収納部を多数設けることができず、結果的にカード類の収納枚数が少なくなってしまうという不具合があった。
【０００４】
本件実用新案登録出願人は、このような観点から先行技術調査を行ったが、前記不具合を解消する技術を発見できなかった。
【先行技術文献】
【特許文献】
【０００５】
【特許文献１】特開２００６−２２３８２１号公報
【考案の概要】
【考案が解決しようとする課題】
【０００６】
本考案は、以上のような従来からの不具合を解消するためのものであって、その課題は、嵩張ることなくカード類を多数収納できる財布を提供することにある。
【課題を解決するための手段】
【０００７】
前記課題を解決するために、請求項１記載の考案にあっては、カード類を収納しうるカード収納部を備えた財布であって、前記カード収納部は、合成樹脂製の基材と前記基材の表面を被覆する紙製の表皮材とにより構成されたシート材により形成されていることを特徴とする。
【０００８】
従って、合成樹脂製の基材と、前記基材の表面を被覆する紙製の表皮材とにより構成されたシート材によって形成された前記カード収納部にカード類を収納することができる。
【０００９】
請求項２記載の考案にあっては、前記カード収納部は、前記シート材を縫着することにより形成されていることを特徴とする。
【００１０】
従って、前記シート材を構成する前記基材及び前記表皮材の両方が縫着されることにより前記カード収納部が形成される。
【００１１】
請求項３記載の考案にあっては、前記カード収納部は、平面視略横長長方形状に形成されると共に、前記カード類を前記カード類の長さ方向に沿って出し入れ可能なカード収納部開口部を備え全体袋状に形成された複数の個別カード収納部により構成されており、前記個別カード収納部の深さ寸法は、前記カード類の長さ寸法よりも小さく形成されていることを特徴とする。
【００１２】
従って、前記カード収納部は、前記複数の個別カード収納部より構成されており、個別カード収納部の深さ寸法は、カード類の長さ寸法よりも小さく形成されていることから、カード類を個別カード収納部に収納した際には、カード類の長さ方向端部がカード収納部開口部より突出して使用者から見えるように収納される。
【００１３】
請求項４記載の考案にあっては、前記カード収納部は、平面視略横長長方形状に形成されると共に、前記カード類を前記カード類の幅方向に沿って出し入れ可能なカード収納部開口部を備え全体袋状に形成された複数の個別カード収納部により構成されており、前記個別カード収納部の深さ寸法は、前記カード類の幅寸法よりも小さく形成されていることを特徴とする。
【００１４】
従って、前記カード収納部は、前記複数の個別カード収納部より構成されており、個別カード収納部の深さ寸法は、カード類の幅寸法よりも小さく形成されていることから、カード類を個別カード収納部に収納した際には、カード類の幅方向端部がカード収納部開口部より突出して使用者から見えるように収納される。
【００１５】
請求項５記載の考案にあっては、前記基材はポリエチレンテレフタラート製のフィルムであることを特徴とする。
【考案の効果】
【００１６】
請求項１〜５記載の財布にあっては、前記カード収納部は、合成樹脂製の基材と前記基材の表面を被覆する紙製の表皮材とにより構成されたシート材により形成されているので、耐摩耗性を有すると共に厚さ寸法の小さいカード収納部を形成することができる。
従って、財布にカード収納部を多数設けた場合であっても、皮革材又は合成皮革材を用いた場合に比して財布自体の厚さ寸法を小さくすることができる。その結果、嵩張ることなくカード類を多数収納できる財布を提供することができる。
【００１７】
特に、請求項２記載の財布にあっては、前記シート材を構成する前記基材及び前記表皮材の両方が縫着されることにより前記カード収納部が形成されるので、表皮材のみが接着されてカード収納部が形成される場合に比して、より大きな強度を有するカード収納部を形成することができる。
また、強度を高めるためにシート材を折り返して接着する場合に比べて、カード収納部の厚さ寸法を小さくすることができる。
【００１８】
また、請求項３記載の財布にあっては、カード類を収納する個別カード収納部には、カード類の長さ方向端部がカード収納部開口部より突出して利用者から見えるように収納されるため、利用者はカード類を取出さなくとも一目でカードの種類を認識することができる。
【００１９】
また、請求項４記載の財布にあっては、カード類を収納する個別カード収納部には、カード類の幅方向端部がカード収納部開口部より突出して利用者から見えるように収納されるため、利用者はカード類を取出さなくとも一目でカードの種類を認識することができる。
【００２０】
また、請求項５記載の財布にあっては、前記基材はポリエチレンテレフタラート製のフィルムであることから、請求項１記載の財布の効果に加えて、軽量でありながら、剛性が高く、耐久性に富む財布を提供することができる。
【図面の簡単な説明】
【００２１】
【図１】図１は、本考案に係る財布の第一の実施形態において、財布の使用状態を示す正面側斜視図である。
【図２】図２は、本考案に係る財布の第一の実施形態を示す正面側斜視図である。
【図３】図３は、本考案に係る財布の第一の実施形態を示す背面側斜視図である。
【図４】図４は、本考案に係る財布の第二の実施形態を示す斜視図である。
【図５】図５は、本考案に係る財布の一実施の形態において、財布のカード収納部を構成するシート材を示す断面図である。
【考案を実施するための形態】
【００２２】
以下、本考案の一実施の形態に係る財布を、図面を参照して詳細に説明する。
図１〜図３に示すように、本実施の形態に係る財布１０は、カード類１１を収納しうるカード収納部１２、１２・・・を備えた、全体合成皮革製の財布として構成されている。
図１及び図５に示すように、本実施の形態に係るカード収納部１２は、合成樹脂製の基材１３と基材１３の表面２７、２７を被覆する紙製の表皮材１４、１４とにより構成されたシート材１５により形成されている。
【００２３】
また、図１〜図３に示すように、本実施の形態に係るカード収納部１２は、シート材１５を縫着線２８、２８・・・において縫着することにより形成されている。
【００２４】
また、図１〜図３に示すように、本実施の形態に係るカード収納部１２は、平面視略横長長方形状に形成されると共に、カード類１１をカード類１１の長さ方向に沿って出し入れ可能なカード収納部開口部１６、１６・・・を備え、全体袋状に形成された個別カード収納部１７、１７より構成されている。
図１に示すように、本実施の形態に係る個別カード収納部１７の深さ寸法Ｌ１は、カード類の長さ寸法Ｌ２よりも小さく形成されている。
【００２５】
また、図５に示すように、本実施の形態に係る基材１３はポリエチレンテレフタラート製のフィルムである。
【００２６】
本実施の形態に係る財布１０の構成について、添付図面を用いてより詳細に説明する。
図１〜図３に示すように、本実施の形態に係る財布１０は、二つ折り可能に形成され、長さ方向略中間部において折曲される長方形状の外皮材４１と、外皮材４１の厚さ方向内側に縫着され、長方形状に形成された札入れ形成材４２と、外皮材４１の第一折曲部４５から延設され、コイン収納部４７を形成するコイン収納部形成材４３と、外皮材４１の第二折曲部４６から外方に延設され、コイン収納部４７の開口部４９を被覆するコイン収納部蓋部材４４とを有している。
【００２７】
図１〜図３に示すように、本実施の形態に係る札入れ形成材４２は、第一片部１８と、第一片部１８の端部の折曲部２１を介して折り畳み可能に連設されている第二片部１９と、第二片部１９の端部の折曲部２２を介して折曲可能に連設され、折り畳まれた際に、カード収納部１２、１２・・・を被覆しうる蓋部２０とを備えている。
図１〜図３に示すように、本実施の形態に係る第一片部１８、第二片部１９、蓋部２０は、図示しないが、折曲部２１及び２２において折り曲げた場合には、カード収納部１２を被覆して、第一片部１８の裏面側に係止して第一片部１８に重なって配設され、側面視三つ折り状になるように構成されている。
【００２８】
図１〜図３に示すように、本実施の形態に係る蓋部２０の内側面部２３には、蓋部２０を第一片部１８に係止するホックボタン（オス）２４、２４が設けられている。
また、図３に示すように、本実施の形態に係る外皮材４１には、財布１０を二つ折りにした際に、蓋部２０をホックボタン２４、２４と係合するホックボタン（メス）４８、４８が設けられている。
また、図３に示すように、本実施の形態に係るコイン収納部蓋部材４４には、コイン収納部蓋部材４４によってコイン収納部４７の開口部４９を被覆した場合に、コイン収納部形成材４３に設けられたホックボタン（メス）５０と係合してコイン収納部蓋部材４４を係止するホックボタン（オス）５１が設けられている。
【００２９】
図１〜図３に示すように、本実施の形態に係るカード収納部１２、１２・・・は、第一片部１８及び第二片部１９と同じ大きさの長方形状に形成され、長さ方向中間部において互いに札入れ形成材４２に対して厚さ方向に沿って縫着された３枚のカード収納基材片部２５と、カード収納基材片部２５の長さ方向両端部に夫々、幅方向に縫着線２８において縫合形成された長方形状の個別カード収納部１７とからなる。
【００３０】
本実施の形態に係る個別カード収納部１７は、カード収納基材片部２５の幅寸法と同一であると共に短い長さ寸法を有する長方形状のポケット形成材５２を、長さ方向において２つ折りにし、カード収納基材片部２５の両端部において二つ折りにしたポケット形成材５２によりカード収納基材片部２５を挟み、幅方向両端部及び幅方向中間部を縫合することにより、カード収納基材片部２５に固定することにより形成されている。
本実施の形態に係るポケット形成材５２はカード収納基材片部２５の長さ寸法の半分よりも短く形成されており、カード収納部１２、１２・・・はカード収納基材片部２５の長さ方向両端部において、夫々、個別カード収納部１７のカード収納部開口部１６が互いに対向するように配置されている。
その結果、１枚のカード収納基材片部２５の表面側及び裏面側の双方において、両端部に幅方向に沿って２つ、長さ方向に沿って互いに対向して４つ、１枚のカード収納基材片部２５において全体として８つ、３枚のカード収納基材片部２５としては全体として２４個のカード収納部１２が設けられている。従って、各カード収納部１２にはカード類１１を収納することが可能となる。
【００３１】
また、図１〜図３に示すように、本実施の形態に係る財布１０にあっては、外皮材４１と、札入れ形成材４２との間には、第一片部１８及び第二片部１９の幅寸法を合計した長さ寸法に形成され、図１及び図２中、右方に開口部を備えた紙幣収納部２６が設けられている。
なお、図５に示すように、本実施の形態に係るカード収納基材片部２５及びポケット形成材５２は、シート材１５と同様に、合成樹脂製の基材１３と基材１３の表面２７、２７を被覆する紙製の表皮材１４、１４とにより構成されている。
【００３２】
図４には、本考案における他の実施の形態を示す。本考案の他の実施の形態に係る財布４０は、全体細長直方体形状に形成されている。
図４に示すように、本実施の形態に係る財布４０は、全体長方形状に形成され、長さ方向に沿って幅方向に二つ折りとなるように形成された外皮材５３により、側面長方形状の長財布として構成されており、外皮材５３の内方にはカード収納部５６が設けられている。
【００３３】
本実施の形態に係るカード収納部５６は、平面視略横長長方形状に形成されると共に、カード類（図示せず）をカード類の幅方向に沿って出し入れ可能なカード収納部開口部１６、１６・・・を備え、全体袋状に形成された個別カード収納部１７、１７により構成されており、個別カード収納部１７の深さ寸法は、カードの幅寸法よりも小さく形成されている。
【００３４】
図４に示すように、本実施の形態に係るカード収納部５６は、外皮材５３の長さ寸法と同一であると共に、外皮材５３の半分の幅寸法を有する長方形状に形成され、財布４０を二つ折りにした際に対向するように外皮材５３の内側に縫着線２８において縫着された一対の片部２９、３０と、一対の片部２９、３０より一回り小さい大きさの長方形状に形成され、縫着線２８に沿って一対の片部２９、３０に夫々縫着された一対のカード収納基材片部３１、３１と、カード収納基材片部３１の長さ方向両端部及び長さ方向中間部に夫々、幅方向に縫着線２８において縫合形成された長方形状の個別カード収納部１７、１７・・・とからなる。
図４に示すように、本実施の形態に係る個別カード収納部１７は、カード収納基材片部３１の長さ寸法と略同一であると共に約２倍の幅寸法を有する長方形状の１１枚のポケット形成材５４を、幅方向中央において２つ折りにすることによって折曲線部５５を形成し、２つ折りにしたポケット形成材５４の折曲線部５５以外の端部、すなわち、幅方向一端部、長さ方向両端部を互いに隣接するポケット形成材５４、５４と夫々縫合し、厚さ方向に沿って側面視略扇状に開閉可能に形成された折りマチ部３２、３２・・・を介して厚さ方向に隣接して配置されている。
図４に示すように、本実施の形態に係る折りマチ部３２、３２・・・は、ポケット形成材５４、５４の長さ方向両端部３３、３３において、折曲線部５５の一部が切除され形成されたポケット形成材片部５４ａを他のポケット形成材片部５４ｂの長さ方向両端部を挟むように折り返され、折り返されたポケット形成材片部５４ａが他のポケット形成材片部５４ｂに対して、縫着線２８、２８において縫着されることによって形成されている。
また、図４に示すように、本実施の形態に係る個別カード収納部１７は、さらに厚さ方向両端に位置するポケット形成材５４、５４の幅方向端部をカード収納基材片部３１、３１に夫々縫合し固定することにより形成されている。
【００３５】
また、図４に示すように、本実施の形態に係るポケット形成材５４にあっては、折曲線部５５の長さ方向中央３４、３４において一部を切除することにより切欠部３５が形成されている。
図４に示すように、切欠部３５は厚さ方向に隣接するポケット形成材５４の切欠部３５と、長さ方向中間部において縫着線２８において縫着されている。
その結果、図４に示すように、本実施の形態に係るカード収納部５６にあっては、ポケット形成材５４が縫着線２８、２８・・・によって幅方向に沿って画成されることによって、個別カード収納部１７、１７・・・が形成されている。
以上より、図４に示すように、本実施の形態に係るカード収納部開口部１６は、ポケット形成材５４、５４・・・の折曲線部５５、５５、ポケット形成材片部５４ａ、５４ｂ、切欠部３５によって形成され、その結果、平面略六角形状の開口部を有するように形成されている。
その結果、一対のポケット形成材５４、５４間、及び、カード収納基材片部３１とポケット形成材５４との間において、長さ方向に沿って２つ、２枚のカード収納基材片部及び１１枚のポケット形成材としては全体として２４個のカード収納部５６が設けられている。従って、各カード収納部５６にはカード類１１を収納することが可能となる。
【００３６】
また、図４に示すように、本実施の形態に係る外皮材５３の周縁部には、持ち手３６を有するスライドファスナー３７が設けられ、財布４０を長さ方向に沿って幅方向に二つ折りにした際に、外皮材５３の対向する周縁部をスライドファスナー３７によって互いに係止するように構成されている。
また、図４に示すように、本実施の形態に係る財布４０にあっては、片部３０とカード収納基材片部３１との間には、カード収納基材片部３１と略同一の大きさの長方形状に形成された紙幣収納部３８が設けられている。
なお、図５に示すように、本実施の形態に係るカード収納基材片部３１及びポケット形成材５４は、シート材１５と同様に、合成樹脂製の基材１３と基材１３の表面２７、２７を被覆する紙製の表皮材１４、１４とにより構成されている。
それ以外の構成については、財布１０の構成と同一であり、同一符号で表すことにより説明を省略する。
【００３７】
以下、本実施の形態に係る財布１０、４０の効果について、図を参照しながら詳細に説明する。
図１〜図５に示すように、本実施の形態に係る財布１０、４０にあっては、カード収納部１２、５６が、合成樹脂製の基材１３と基材１３の表面２７、２７を被覆する紙製の表皮材１４、１４とにより構成されたシート材１５により形成されているので、耐摩耗性を有すると共に厚さ寸法の小さいカード収納部を形成することができる。
従って、財布にカード収納部を多数設けた場合であっても、皮革材又は合成皮革材を用いた場合に比して財布自体の厚さ寸法を小さくすることができる。その結果、嵩張ることなくカード類を多数収納できる財布を提供することができる。
【００３８】
図１〜図５に示すように、本実施の形態に係る財布１０、４０にあっては、シート材１５を構成する基材１３及び表皮材１４、１４の両方が縫着されることによりカード収納部１２、５６が形成されるので、表皮材のみが接着されてカード収納部が形成される場合に比して、より大きな強度を有するカード収納部を形成することができる。
また、従来の皮革材又は合成皮革材を用いてカード収納部を形成する場合に比して、シート材１５は厚さ寸法が小さく、ある程度の硬さを有するため、縫製がしやすく財布を容易に製造することができる。
またさらに、強度を高めるためにシート材を折り返して接着する場合に比べて、カード収納部の厚さ寸法を小さくすることができる。
【００３９】
また、図１〜図４に示すように、本実施の形態に係る財布１０、４０にあっては、カード類１１を収納する個別カード収納部１７、１７・・・には、カード類１１の長さ方向端部又は幅方向端部がカード収納部開口部より突出して利用者から見えるように収納されるため、利用者はカード類を取出さなくとも一目でカードの種類を認識することができる。
【００４０】
また、本実施の形態に係る財布１０、４０にあっては、基材１３はポリエチレンテレフタラート製のフィルムであることから、軽量でありながら、剛性が高く、耐久性に富む財布を提供することができる。
【産業上の利用可能性】
【００４１】
本考案に係る財布は、種々の財布に広く適用することができ、産業上利用可能性を有している。
【符号の説明】
【００４２】
１０、４０：財布
１１：カード類
１２：カード収納部
１３：基材
１４：表皮材
１５、１５ａ、１５ｂ：シート材
１６：カード収納部開口部
１７：個別カード収納部
１８：第一片部
１９：第二片部
２０：蓋部
２１、２２：折曲部
２３：内側面部
２４：ホックボタン
２５：カード収納基材片部
２６：紙幣収納部
２７：表面
２８：縫着線
２９：第一片部
３０：第二片部
３１：カード収納基材片部
３２：マチ部
３３：方向両端部
３４：折曲線部
３５：切欠部
３６：持ち手
３７：係止部材
３８：紙幣収納部
４１：外皮材
４２：札入れ形成材
４３：コイン収納部形成材
４４：コイン収納部蓋部材
４５、４６：折曲部
４７：コイン収納部
４８：ホックボタン
４９：開口部
５０、５１：ホックボタン
５２：ポケット形成材
５３：外皮材
５４：ポケット形成材
５４ａ、５４ｂ：ポケット形成材片部
５５：折曲線部
５６：カード収納部
Ｌ１：個別カード収納部の深さ寸法
Ｌ２：カード類の長さ寸法
【図１】
0003209756.tif 000003
【図２】
0003209756.tif 000004
【図３】
0003209756.tif 000005
【図４】
0003209756.tif 000006
【図５】
0003209756.tif 000007